(57)【特許請求の範囲】
【請求項１】
蚊の卵及び卵から生まれたボウフラを捕獲するためのボウフラストッパーであって、
有底筒形状に形成された容器と、
表面の全体が黒色を呈する樹脂によって形成され、かつ上記容器内に配置されて上記容器の開口穴に蓋をするとともに上記容器内に貯留される水の水面に浮かぶ捕獲網と、を備え、
上記捕獲網は、蚊の卵を通過させる一方、蚊を通過させない多数の通過孔が形成された網部と、上記網部の外縁部において上記網部から上方へ突出する突出外縁部とを有しており、
上記突出外縁部の下面には、水面との間に空気を溜めるための凹部が形成されており、
上記突出外縁部の上面は、水が残留することを防止するためのテーパ形状に形成されており、
上記容器は、金属製であって金属表面が視認される内周面を有しており、かつ該内周面が上記捕獲網の黒色を反射して映し出し、該内周面に映し出される黒色に近い色彩によって、成虫としての蚊を上記容器内に誘引するよう構成されている、ボウフラストッパー。
【請求項２】
蚊の卵及び卵から生まれたボウフラを捕獲するためのボウフラストッパーであって、
有底筒形状に形成された容器と、
表面の全体が黒色を呈する樹脂によって形成され、かつ上記容器内に配置されて上記容器の開口穴に蓋をするとともに上記容器内に貯留される水の水面に浮かぶ捕獲網と、を備え、
上記容器における円筒板部には、互いに対向する位置において開口された一対の取付孔と、上記一対の取付孔に跨って取り付けられた取手とが設けられており、
上記捕獲網は、水面に浮かぶ状態において、上記取手における、上記取付孔に挿通された取付端部によって、上記取付端部よりも上昇することが阻止され、
上記容器は、上記容器内に貯留される水を、上記取付端部と上記取付孔との隙間から流出させるよう構成されている、ボウフラストッパー。
【請求項３】
蚊の卵及び卵から生まれたボウフラを捕獲するためのボウフラストッパーであって、
有底筒形状に形成された容器と、
表面の全体が黒色を呈する樹脂によって形成され、かつ上記容器内に配置されて上記容器の開口穴に蓋をするとともに上記容器内に貯留される水の水面に浮かぶ捕獲網と、を備え、
上記容器における円筒板部の開口上端部には、上記円筒板部の内周面に突出する玉縁部が形成されており、
上記捕獲網は、水面に浮かぶ状態において、上記玉縁部によって、上記玉縁部よりも上昇することが阻止されるよう構成されている、ボウフラストッパー。
【発明の詳細な説明】
【技術分野】
【０００１】
本発明は、蚊の卵及びボウフラを捕獲するためのボウフラストッパーに関する。
【背景技術】
【０００２】
蚊を捕獲するための容器には、成虫としての蚊を捕獲するための捕獲器と、蚊が産卵した卵、及び卵から生まれた、蚊の幼虫としてのボウフラを捕獲するための捕獲器とがある。前者の捕獲器の場合には、薬剤を使用するなど、仕掛けが大掛かりになることが多い。そのため、後者の捕獲器が多く用いられるようになった。
【０００３】
例えば、特許文献１に記載された捕虫器は、蚊の卵及びボウフラを捕獲し、卵から成長した蚊を逃がさないものである。捕虫器の容器内には、水が貯留されるとともに、水の水面に浮揚するフィルタ部が配置される。そして、容器内の水に集まる蚊がフィルタ部に産卵したときには、産卵された卵がフィルタ部に設けられた孔を通って水中に入る、又は卵から生まれた幼虫であるボウフラが孔を通って水中に入る。その後、ボウフラ、及びさなぎであるオニボウフラの状態を経て成長した蚊は、水中で溺れてフィルタ部から容器の外部へ出られなくなる。
【先行技術文献】
【特許文献】
【０００４】
【特許文献１】特開２００８−３０７０３７号公報
【発明の概要】
【発明が解決しようとする課題】
【０００５】
ところで、特許文献１の捕虫器においては、フィルタ部は、蛇腹形状を有する通過阻止部によって容器に保持されている。そのため、この捕虫器は、容器、フィルタ部及び通過阻止部が一体となった完成品として、工場内において製造される。従って、蚊の捕虫器（又は捕獲器）をさらに簡易的に形成するためには、特許文献１の捕虫器には改善の余地がある。
【０００６】
本発明は、かかる課題に鑑みてなされたもので、極めて簡単に形成することができ、かつ容器内の捕獲網へ蚊を容易に誘引することができるボウフラストッパーを提供しようとして得られたものである。
【課題を解決するための手段】
【０００７】
本発明の一態様は、蚊の卵及び卵から生まれたボウフラを捕獲するためのボウフラストッパーであって、
有底筒形状に形成された容器と、
表面の全体が黒色を呈する樹脂によって形成され、かつ上記容器内に配置されて上記容器の開口穴に蓋をするとともに上記容器内に貯留される水の水面に浮かぶ捕獲網と、を備え、
上記捕獲網は、蚊の卵を通過させる一方、蚊を通過させない多数の通過孔が形成された網部と、上記網部の外縁部において上記網部から上方へ突出する突出外縁部とを有しており、
上記突出外縁部の下面には、水面との間に空気を溜めるための凹部が形成されており、
上記突出外縁部の上面は、水が残留することを防止するためのテーパ形状に形成されており、
上記容器は、金属製であって金属表面が視認される内周面を有しており、かつ該内周面が上記捕獲網の黒色を反射して映し出し、該内周面に映し出される黒色に近い色彩によって、成虫としての蚊を上記容器内に誘引するよう構成されている、ボウフラストッパーにある。
本発明の他の態様は、蚊の卵及び卵から生まれたボウフラを捕獲するためのボウフラストッパーであって、
有底筒形状に形成された容器と、
表面の全体が黒色を呈する樹脂によって形成され、かつ上記容器内に配置されて上記容器の開口穴に蓋をするとともに上記容器内に貯留される水の水面に浮かぶ捕獲網と、を備え、
上記容器における円筒板部には、互いに対向する位置において開口された一対の取付孔と、上記一対の取付孔に跨って取り付けられた取手とが設けられており、
上記捕獲網は、水面に浮かぶ状態において、上記取手における、上記取付孔に挿通された取付端部によって、上記取付端部よりも上昇することが阻止され、
上記容器は、上記容器内に貯留される水を、上記取付端部と上記取付孔との隙間から流出させるよう構成されている、ボウフラストッパーにある。
本発明のさらに他の態様は、蚊の卵及び卵から生まれたボウフラを捕獲するためのボウフラストッパーであって、
有底筒形状に形成された容器と、
表面の全体が黒色を呈する樹脂によって形成され、かつ上記容器内に配置されて上記容器の開口穴に蓋をするとともに上記容器内に貯留される水の水面に浮かぶ捕獲網と、を備え、
上記容器における円筒板部の開口上端部には、上記円筒板部の内周面に突出する玉縁部が形成されており、
上記捕獲網は、水面に浮かぶ状態において、上記玉縁部によって、上記玉縁部よりも上昇することが阻止されるよう構成されている、ボウフラストッパーにある。
【発明の効果】
【０００８】
上記ボウフラストッパーは、容器内に、水と捕獲網とを配置することによって、極めて簡単に形成することができる。また、容器と捕獲網とは別々に製造することができ、ボウフラストッパーを極めて簡単に製造することができる。
また、捕獲網が黒色を呈することにより、黒色を好む蚊の習性を利用して、容器内の捕獲網へ蚊を容易に誘引することができる。
【０００９】
それ故、上記ボウフラストッパーによれば、極めて簡単に形成することができ、かつ容器内の捕獲網へ蚊を容易に誘引することができる。
【図面の簡単な説明】
【００１０】
【図１】実施形態１にかかる、ボウフラストッパーを示す斜視図。
【図２】実施形態１にかかる、ボウフラストッパーを示す断面図。
【図３】実施形態１にかかる、ボウフラストッパーの一部を拡大して示す断面図。
【図４】実施形態２にかかる、ボウフラストッパーの一部を拡大して示す断面図。
【図５】実施形態２にかかる、他のボウフラストッパーの一部を拡大して示す断面図。
【発明を実施するための形態】
【００１１】
上述したボウフラストッパーにかかる好ましい実施形態について説明する。
上記容器は、金属製であって金属表面が視認される内周面を有しており、該内周面は、上記捕獲網の黒色を反射して映し出すよう構成されていてもよい。
この場合には、黒色を呈する捕獲網が、容器内に配置されたときには、容器の内周面において視認可能な金属表面によって、捕獲網の黒色が反射され、容器の内周面には、捕獲網の黒色が映し出される。これにより、捕獲網が黒色の色彩を呈するだけでなく、容器の内周面も黒色に近い色彩を呈する状態を簡単に形成することができる。そのため、黒色を好む蚊の習性を利用して、容器内及び捕獲網へ蚊を容易に誘引することができる。
【００１２】
また、上記容器は、市販の渦巻き状蚊取り線香用の空容器を再利用したものとしてもよい。
この場合には、渦巻き状蚊取り線香を取り出した後の容器（金属缶）を利用して、ボウフラストッパーを極めて簡単に形成することができる。これにより、ボウフラストッパーを工場内において完成品として製造する必要がなくなる。
また、渦巻き状蚊取り線香用の容器は、防錆のためにメッキ鋼板によって製缶されている。そのため、渦巻き状蚊取り線香用の空容器に何ら加工をすることなく、容器の内周面が黒色に近い色彩を呈する状態を形成することができる。
【００１３】
上記容器は、表面の全体が黒色を呈する樹脂によって形成することもできる。
この場合には、塗装等の二次的加工を施すことなく、容器の内周面及び外周面が黒色を呈する状態を形成することができる。
容器は、例えば、ポリプロピレン樹脂の黒色コンパウンドを用いて成形することができる。
【００１４】
また、容器は、円形の断面を有する有底円筒形状とする以外にも、例えば、三角形、四角形、多角形の断面を有する有底筒形状としてもよい。容器がいかなる断面形状を有している場合においても、捕獲網は、容器の断面形状に合わせて形成する。
【００１５】
以下に、上述したボウフラストッパーにかかる好ましい実施形態について、図面を参照して説明する。
（実施形態１）
本形態のボウフラストッパー１は、捕虫器とも呼ばれ、蚊の卵及び卵から生まれたボウフラを捕獲するためのものである。ボウフラストッパー１は、図１、図２に示すように、金属製の容器２と、樹脂製の捕獲網４とを備える。容器２は、有底円筒形状に形成されており、金属表面が視認される内周面２０１を有する。捕獲網４は、表面の全体が黒色を呈する樹脂によって形成されており、かつ容器２内に配置されて容器２の開口穴２０２に蓋をするとともに容器２内に貯留される水Ｗの水面Ｗ１に浮かぶものである。容器２の内周面２０１は、捕獲網４の黒色を反射して映し出すことによって黒色を呈するよう構成されている。図２においては、容器２の内周面２０１が、黒色に見える反射光を矢印Ｘによって示す。
【００１６】
以下、本形態のボウフラストッパー１について詳説する。
ボウフラストッパー１を屋外の意図する場所に配置するときには、容器２内には、水Ｗ及び捕獲網４を配置する。容器２内に配置する水Ｗは、水道水、雨水、川の水等とすることができる。特に、容器２内の水Ｗは、雨天時に溜まる雨水とすることにより、容器２内に水を追加する手間が省ける。
【００１７】
ボウフラストッパー１の容器２は、メッキ鋼板によって製缶したものの他、渦巻き状蚊取り線香が収容されて販売される容器（金属缶）２を再利用（リサイクル）したものとしてもよい。
【００１８】
図２に示すように、容器２は、底板部２１と、底板部２１の外周から円筒状に起立して設けられた円筒板部２２とによって構成されている。容器２の円筒板部２２には、互いに対向する位置において開口する一対の取付孔２５と、一対の取付孔２５に跨って取り付けられた取手３とが設けられている。一対の取付孔２５及び取手３は、渦巻き状蚊取り線香が収容されて販売される際の容器２に既に設けられているものである。
【００１９】
円筒板部２２は、高さ方向の各部における内径が一定である円筒形状に形成されている。また、図３に示すように、容器２における円筒板部２２の開口上端部２３には、円筒板部２２の外周面に突出する玉縁部２４が形成されている。
【００２０】
図３に示すように、捕獲網４は、水面Ｗ１に浮かぶ状態において、取手３における、一対の取付孔２５にそれぞれ挿通された各取付端部３１によって、各取付端部３１よりも上昇することが阻止されている。容器２に取手３が取り付けられた状態において、取手３の各取付端部３１の一部は、容器２の内周面２０１から内周側に突出している。
【００２１】
そして、各取付端部３１における、容器２の内周面２０１に突出する一部を利用して、水面Ｗ１に浮かぶ捕獲網４の上昇を阻止し、捕獲網４が容器２の外部へ不意に取り出されることを防止することができる。また、取手３の各取付端部３１を利用することにより、捕獲網４の外れ防止構造を形成することができる。
【００２２】
捕獲網４は、容器２の開口穴２０２に対して斜めにした状態で容器２内に配置する。そして、捕獲網４が、容器２の内周面２０１に突出する、各取付端部３１の一部に引っ掛からないようにして、捕獲網４を各取付端部３１の下側に配置する。
【００２３】
図１、図２に示すように、捕獲網４が容器２内における各取付端部３１の下側に配置されたときに、容器２の開口穴２０２が蓋をされる（閉じられる）。容器２内へ捕獲網４を配置可能にするために、捕獲網４の外径は、容器２の内周面２０１の内径に比べて、例えば、直径でφ０．５〜２ｍｍ小さく形成されている。
【００２４】
容器２の開口穴２０２が捕獲網４によって蓋をされるとの表現は、容器２の内周面２０１と捕獲網４の外周面との間にできるだけ隙間ができないようにすることを意味する。容器２の内周面２０１と捕獲網４の外周面との間には、容器２内へ捕獲網４を配置可能にするための隙間が必ず形成される。また、容器２の開口穴２０２が捕獲網４によって蓋をされるとの表現は、容器２の開口穴２０２が、捕獲網４の後述する通過孔４１１を介して通気可能な状態で塞がれることを意味する。
【００２５】
また、図３に示すように、容器２は、容器２内に貯留される水Ｗを、各取付端部３１と各取付孔２５との隙間Ｓから流出させるよう構成されている。取手３の各取付端部３１が各取付孔２５に挿入された状態においては、各取付端部３１と各取付孔２５との間には隙間Ｓが形成されている。そのため、容器２内に貯留される水Ｗの量が増えて、その水面Ｗ１が各取付孔２５が設けられた高さまで上昇したときには、この水面Ｗ１付近の水Ｗは、各取付端部３１と各取付孔２５との隙間Ｓから容器２の外部へ流出することができる。
【００２６】
特に、屋外においてボウフラストッパー１を使用する際に、隙間Ｓから雨水等の水Ｗが流出されることにより、容器２内の水Ｗの量を、捕獲網４が水面Ｗ１付近に浮かぶ適切な量に調整することができる。また、隙間Ｓを利用することにより、容器２に何ら手を加えることなく、水Ｗのオーバーフロー構造を形成することができる。
【００２７】
図３に示すように、捕獲網４は、蚊の卵を通過させる一方、蚊を通過させない多数の通過孔４１１が形成された網部４１と、網部４１の外縁部の全周において網部４１から上方へ突出する突出外縁部４２とを有している。網部４１は、仮想平面に沿って形成されており、突出外縁部４２の外周面は、容器２の内周面２０１に沿った円形状に形成されている。
【００２８】
突出外縁部４２が網部４１から上方に向けて設けられていることにより、網部４１の全体が水面Ｗ１に接触する状態を容易に形成することができる。そして、網部４１と水面Ｗ１との間に空気の相ができないようにしている。
【００２９】
網部４１に形成された通過孔４１１の大きさは、通過孔４１１の内側に内接させた仮想円の相当直径がφ２．０〜２．５ｍｍとなるよう設定することができる。通過孔４１１が、正方形に形成される場合には、通過孔４１１の各辺の長さは、仮想円の相当直径と同じである。
【００３０】
捕獲網４の全体、すなわち網部４１及び突出外縁部４２は、射出成形等による樹脂の成形品として形成されている。捕獲網４の全体は、黒色を呈するポリプロピレン樹脂によって形成されている。捕獲網４は、成形が容易な種々の樹脂によって形成することができる。
図２に示すように、捕獲網４の中心部には、水面Ｗ１に浮かぶ捕獲網４を、容器２内から容易に取り出すための摘み４３が設けられている。
【００３１】
図３に示すように、突出外縁部４２の下面には、水面Ｗ１との間に空気を溜めるための凹部４３が形成されている。突出外縁部４２は、捕獲網４の外縁部から捕獲網４が形成された仮想平面に垂直に起立する内周側起立部４２１と、内周側起立部４２１から外周側に向けて形成された上面部４２２と、内周側起立部４２１の外周側に対向するよう、上面部４２２から仮想平面に垂直に設けられた外周側起立部４２３とを有する。凹部４３は、内周側起立部４２１、上面部４２２及び外周側起立部４２３によって囲まれて形成されている。
【００３２】
捕獲網４は、水Ｗよりも比重が小さい樹脂によって形成されているため、特別な形状にしなくても水面Ｗ１に浮くことができる。ただし、捕獲網４に凹部４３を形成することにより、水面Ｗ１に浮かぶ捕獲網４の凹部４３内に空気を溜めることができ、捕獲網４が水面Ｗ１に一層浮きやすくすることができる。
【００３３】
上面部４２２の上面は、上面部４２２に水Ｗが残留することを防止するために、テーパ形状に形成されている。本形態の上面部４２２の上面は、内周側に向かうほど下降するテーパ形状に形成されている。なお、上面部４２２の上面は、種々のテーパ形状に形成してもよく、例えば、外周側に向かうほど下降するテーパ形状に形成してもよい。また、上面部４２２の上面は、山形状、すなわち、上面部４２２の径方向の中間位置を境界にして、内周側の部分が内周側に向かうほど下降するテーパ形状を有するとともに外周側の部分が外周側に向かうほど下降するテーパ形状を有していてもよい。
【００３４】
なお、本形態において示す下側とは、容器２を、意図する場所に配置する際の鉛直方向のことをいい、上側とは、容器２を、意図する場所に配置する際の鉛直方向の上側のことをいう。
【００３５】
ボウフラストッパー１は、次のようにして、蚊の卵及びボウフラを捕獲することができる。
ボウフラストッパー１を屋外又は屋内の意図する場所に配置したとき、捕獲網４の黒色の色彩、及び容器の内周面に映し出される黒色に近い色彩によって、成虫としての蚊が容器２内に誘引される。そして、捕獲網４の網部４１に止まった蚊は、網部４１又は網部４１に接触する水面Ｗ１に向けて産卵すると考えられる。そして、産卵された蚊の卵は、網部４１における通過孔４１１を通って水Ｗの中に沈んでいく。
【００３６】
次いで、水Ｗの中にある卵から、幼虫としてのボウフラが生まれ、ボウフラは、さなぎとしてのオニボウフラを経て、成虫としての蚊に成長する。このとき、網部４１が水面Ｗ１に接触していることにより、ボウフラは、水面Ｗ１の上に上がることができない。そのため、ボウフラは、水Ｗの中に閉じ込められ、蚊に成長するときに呼吸をすることができず、水Ｗの中において死滅する。
【００３７】
また、万一、捕獲網４の下方に位置する水Ｗの中で成虫に成長した蚊は、捕獲網４の外に飛び去ろうとする。この場合でも、網部４１の通過孔４１１が蚊の体格よりも小さいことにより、成長した蚊は捕獲網４の外に出ることができず、水Ｗの中において死滅する。
【００３８】
また、水Ｗの中の卵が蚊の成虫に成長する前に、蚊の卵、ボウフラ、オニボウフラ等が含まれる容器２内の水Ｗを適切に処理することによって、蚊を死滅させることもできる。具体的には、容器２内の水Ｗは、乾いたアスファルト、コンクリート等の上に、又は夏期の晴れの日の、高温に熱せられたアスファルト、コンクリート等の上に放水することにより、水Ｗの中の蚊の卵、ボウフラ、オニボウフラ等を死滅させることができる。また、容器２内の水Ｗを何らかの方法によって高温に加熱することによっても、水Ｗの中の蚊の卵、ボウフラ、オニボウフラ等を死滅させることができる。
【００３９】
本形態のボウフラストッパー１は、渦巻き状蚊取り線香を取り出した後の再利用品としての容器（金属缶）２と、捕獲網４とを準備することにより、極めて簡単に形成することができる。これにより、工場内において、ボウフラストッパー１の完成品を製造する必要がない。また、渦巻き状蚊取り線香の容器２をボウフラストッパー１のために再利用することにより、資源の有効活用を図ることができる。
【００４０】
捕獲網４は、樹脂の成形品とすることにより、極めて簡単に形成することができる。また、捕獲網４が黒色を呈していることにより、捕獲網４に蚊が寄り付きやすくすることができる。
【００４１】
容器２の内周面２０１を構成する金属表面には、防食、防錆等の効果を狙った金属のメッキ処理等が行われている。そして、容器２の内周面２０１は、メッキ処理等が行われた金属表面によって銀色、金色等の色を呈している。従って、容器２の内周面２０１には、何ら加工処理を行う必要がなく、必要に応じて、容器２の外周面に、黒色の塗装、印刷等を施すのみでよい。
【００４２】
黒色を呈する捕獲網４が、容器２内に配置されたときには、容器２の内周面２０１において視認可能な金属表面によって、捕獲網４の黒色が反射される。そして、容器２の内周面２０１には、捕獲網４の黒色が映し出される。この内周面２０１に黒色が映し出される状態とは、容器２内に捕獲網４が配置されていない場合に視認される内周面２０１の色彩に比べて、容器２内に捕獲網４が配置された場合に視認される内周面２０１の色彩が黒色に近い色として視認される状態のことをいう。
【００４３】
このように、容器２の内周面２０１の状態により、捕獲網４が黒色の色彩を呈するだけでなく、容器２の内周面２０１も黒色に近い色彩を呈する状態を簡単に形成することができる。そして、渦巻き状蚊取り線香の容器２に何ら加工をすることなく、容器２の内周面２０１が黒色に近い色彩を呈する状態を形成することができる。そのため、黒色を好む蚊の習性を利用して、容器２内及び捕獲網４へ蚊を容易に誘引することができる。
【００４４】
それ故、本形態のボウフラストッパー１によれば、極めて簡単に形成することができ、かつ容器２内及び捕獲網４へ蚊を容易に誘引することができる。
【００４５】
捕獲網４は、例えば、渦巻き状蚊取り線香とともに容器２内に収容された状態で販売することができる。この場合、容器２内には、渦巻き状蚊取り線香も収容されているものの、捕獲網４を、ボウフラストッパー１のために使用することを容易に特定することができる。また、捕獲網４は、容器２内に収容された渦巻き状蚊取り線香とは別に販売することもできる。この場合、捕獲網４を販売する際に、この捕獲網４の用途が、渦巻き状蚊取り線香の容器２を利用したボウフラストッパー１として使用することにあると説明されていることにより、捕獲網４がボウフラストッパー１のために使用されることを容易に特定することができる。
【００４６】
（実施形態２）
本形態においては、ボウフラストッパー１に用いる容器２の他の構成を示す。
渦巻き状蚊取り線香用の容器２の中には、取手３が設けられていないものも存在する。ボウフラストッパー１には、次の場合には、取手３が設けられていない容器２を用いることもできる。
【００４７】
具体的には、図４に示すように、容器２に取手３が設けられていなくても、容器２における円筒板部２２の開口上端部２３に、円筒板部２２の内周面２０１に突出する玉縁部２４Ａが形成されている場合には、この容器２をボウフラストッパー１に用いることができる。この場合、捕獲網４は、水面Ｗ１に浮かぶ状態において、玉縁部２４Ａによって、玉縁部２４Ａよりも上昇することが阻止される。
【００４８】
玉縁部２４は、図４に示すように、円筒板部２２の開口上端部２３が内周側に垂直に屈曲したもの、図５に示すように、円筒板部２２の開口上端部２３が円筒板部２２の内周面２０１に重なるもの等とすることができる。
本形態においては、容器２内の水Ｗの水面Ｗ１が上昇して、捕獲網４の上昇が玉縁部２４Ａによって阻止されるときには、容器２内の水Ｗは容器２の開口上端部２３から溢れ出すことができる。
【００４９】
容器２の円筒板部２２の開口上端部２３に内周面２０１に突出する玉縁部２４Ａが形成されていることにより、捕獲網４は、変形させなければ容器２内に配置することができない。そこで、本形態の捕獲網４は、容器２内への配置を可能にするために、弾性変形可能な樹脂（ゴムを含む。）によって形成されている。そして、捕獲網４は、弾性変形させて玉縁部２４Ａの内周側を通過させる。その後、捕獲網４の弾性変形が元の状態に復帰することにより、容器２内に捕獲網４が配置された状態を形成することができる。
【００５０】
本形態のボウフラストッパー１においても、その他の構成は、実施形態１の場合と同様である。また、実施形態１に示した符号と同一の符号が示す構成要素等は、実施形態１の場合と同様である。また、本形態においても、実施形態１と同様の作用効果を得ることができる。
【００５１】
なお、本発明は、各実施形態のみに限定されるものではなく、その要旨を逸脱しない範囲においてさらに異なる実施形態に構成することが可能である。
【符号の説明】
【００５２】
１  ボウフラストッパー
２  容器
２０１  内周面
２０２  開口穴
２１  底板部
２２  円筒板部
２３  開口上端部
２４，２４Ａ  玉縁部
２５  取付孔
３  取手
３１  取付端部
４  捕獲網
４１  網部
４１１  通過孔
４２  突出外縁部
４３  凹部
【図１】
0006742146.tif 000002
【図２】
0006742146.tif 000003
【図３】
0006742146.tif 000004
【図４】
0006742146.tif 000005
【図５】
0006742146.tif 000006